(57)【要約】【課題】ショーツに止着して使用する生理用ナプキンをショーツのクロッチの幅に合わせてその幅を調整して取り付け汚れ、ズレ、剥離を防止する。【解決手段】肌に接しない面に粘着材層１２を形成した生理用ナプキン１０を長手方向に伸縮自在に構成すると共に、前記粘着材層１２に接合する剥離シート１２ａ，１２ｂを長手方向中央部で二分しておく。着用時には、吸収物品１０の幅がショーツ１のクロッチの幅に合うまで生理用ナプキン１０の両端部近傍１１を引っ張り、剥離シート１４ａ，１４ｂ間に露出した前記粘着材層１２をショーツ１に軽く押し当てて接合し、その後剥離シート１４ａ，１４ｂを剥離して生理用ナプキン１０全体をショーツ１に取り付ける。【選択図】           図１
2006230619.tif 000002
【特許請求の範囲】
【請求項１】
下着に取り付けて使用する伸長可能な吸収性物品であって、
粘着材が施された下着取付面と、該粘着材を覆う剥離シートとを備え、伸長させて下着のクロッチ部形状に合わせた状態で取付け可能であることを特徴とする吸収性物品。
【請求項２】
請求項１に記載された吸収性物品において、
伸縮可能であることを特徴とする吸収性物品。
【請求項３】
請求項１又は２に記載された吸収性物品において、
前記粘着材には、吸収性物品を伸長するとき開いて前記粘着材の一部を露出するように剥離シートを取り付けたことを特徴とする吸収性物品。
【請求項４】
請求項３に記載された吸収性物品において、
前記剥離シートは、中間に前記粘着材の一部を露出するよう長手方向両端側に分離可能であることを特徴とする吸収性物品。
【請求項５】
請求項１又は２に記載された吸収性物品において、
間に露出した粘着材を残すよう粘着材の長手方向両端側をそれぞれ所定の巾で覆う第１及び第２の剥離シートと、前記露出した粘着材を覆う第３の剥離シートを備えたことを特徴とする吸収性物品。
【請求項６】
請求項５に記載された吸収性物品において、
前記第３の剥離シートは、吸収性物品を包装する包装シートに接合されていることを特徴とする吸収性物品。
【請求項７】
請求項５に記載された吸収性物品において、
前記第３の剥離シートは、吸収性物品を包装する剥離処理された包装シートであることを特徴とする吸収性物品。
【請求項８】
請求項５に記載された吸収性物品を、請求項６又は７に記載された包装シートで包装したことを特徴とする吸収性物品の包装構造。
【請求項９】
粘着材が施された下着取付面と、該粘着材を覆う剥離シートとを備えた吸収性物品の下着への取付方法であって、
前記剥離シートを介して吸収物品を伸長して下着のクロッチ部形状に合わせる工程、
クロッチ部形状に合わせた前記吸収物品を前記粘着材で下着のクロッチ部に取付ける工程、
を備えたことを特徴とする吸収性物品の下着への取付方法。
【発明の詳細な説明】
【技術分野】
【０００１】
本発明は、吸収性物品及びその包装体構造に係り、下着（ショーツ）に取り付けて使用する生理用ナプキン、尿取りパッドなどの吸収性物品、該吸収性物品を包装シートで包んだ吸収性物品の包装構造、及び吸収性物品の下着への取付方法に関するものである。
【背景技術】
【０００２】
一般に使用されている生理用ナプキン、尿取りパッドなどの吸収性物品は、バックシートが外側になるように折り畳んだ状態で包装シートに包装され、使用時には包装シートから取出し、ズレ止め等のために物品を下着等に取り付けて使用する。
そのため、生理用ナプキン等は、その肌に接触しない裏面即ちバックシート側に下着への取り付け手段として粘着材層を備えており、包装状態においてこの粘着材層が包装材に接合しないように、その上に剥離シートや包装材の内面に形成した剥離層を接合したものが一般に使用されている。
【０００３】
ところで、生理用ナプキン等のように下着等に装着するタイプの吸収性物品では、吸収体が伸縮しないものが用いられてきたが、これだとショーツ（下着）の変形に追従して動かないため、固定後にずれたり或いは浮いたり剥がれたりすることが生じ、また、着用中も快適なものとはならない等の問題がある。
そこで、吸収性物品に伸縮性を備えたものも種々提案されてきており、例えば、特許文献１に記載された伸縮性吸収製品では、弾性的に伸縮可能な吸収物質からなる吸収芯（コア）と、吸収芯をそれぞれ伸縮可能なトップシート及びバックシートで覆った吸収体とを備え、１方向または２方向へ伸縮可能で、長手方向に可撓性を有するようにしている。
【０００４】
また、特許文献２に記載された生理用ナプキンでは、特許文献１に記載されたものと同様に、伸縮可能なトップシートと該トップシートと周辺部で接合された伸縮可能なバックシートと、これらトップシートとバックシート間に収容された吸収体がニット材料を備え蛇腹加工された伸縮可能な吸収性コアとで構成され、吸収体がその長手方向以外にその方向に傾斜した方向にも伸縮できるようにしている。
【０００５】
これら従来の吸収性物品は、例えば、ショーツ（下着）に取付けた状態でショーツの変形に追従することが可能である。しかしながら、これらの吸収性物品は、伸縮性を備えているものの、伸縮しないものと同様にそのままショーツに取り付けて用いるものであり、伸縮性を有するがために、ショーツへの固定がしずらかったり、ゆがんで固定されたりして、ずれや違和感を生じることがある。
【０００６】
なお、特許文献３には、生理用ナプキン等の吸収性物品の粘着材層を大面積とした場合でも剥離紙の剥離が容易に行えるように、生理用ナプキンに設けた粘着材層にその中間で２分割された剥離紙が記載されている。
しかしながら、この文献に記載された生理用ナプキンは伸縮せず、一枚の剥離紙を大面積の粘着材層に貼り付けると、剥がしている間に剥がした部分の粘着材同士が付着してしまうこと等を防止することを目的とするものであり、以下で説明する本願発明を伺わせるものではない。
【０００７】
【特許文献１】特表平１０−５０８２２５号公報
【特許文献２】特表２００４―５１５８１７号公報
【特許文献３】登録第３０５４７６７号公報
【発明の開示】
【発明が解決しようとする課題】
【０００８】
本発明の第１の目的は、上記従来の問題に鑑みてなされたものであって、生理用ナプキンなどの吸収性物品をショーツのクロッチ部分に接合する際に、装着しやすくそのクロッチ部分の形状に合わせてその形状を調節して取付できるようにすることである。
第２の目的は、着用感に優れかつ着用中にショーツの変形に追従してズレや剥離を生じない吸収性物品を提供することである。
【課題を解決するための手段】
【０００９】
請求項１の発明は、下着に取り付けて使用する伸長可能な吸収性物品であって、粘着材が施された下着取付面と、該粘着材を覆う剥離シートとを備え、伸長させて下着のクロッチ部形状に合わせた状態で取付け可能であることを特徴とする。
請求項２の発明は、請求項１に記載された吸収性物品において、
前記吸収性物品が伸縮可能であることを特徴とする。
請求項３の発明は、請求項１又は２に記載された吸収性物品において、
前記粘着材には、吸収性物品を伸長するとき開いて前記粘着材の一部を露出するように剥離シートを取り付けたことを特徴とする。
請求項４の発明は、請求項３に記載された吸収性物品において、前記剥離シートは、中間に前記粘着材の一部を露出するよう長手方向両端側に分離可能であることを特徴とする。
請求項５の発明は、請求項１又は２に記載された吸収性物品において、
間に露出した粘着材を残すよう粘着材の長手方向両端側をそれぞれ所定の巾で覆う第１及び第２の剥離シートと、前記露出した粘着材を覆う第３の剥離シートを備えたことを特徴とする。
請求項６の発明は、請求項５に記載された吸収性物品において、前記第３の剥離シートは、吸収性物品を包装する包装シートに接合されていることを特徴とする。
請求項７の発明は、請求項５に記載された吸収性物品において、前記第３の剥離シートは、吸収性物品を包装する剥離処理された包装シートであることを特徴とする。
請求項８の発明は、吸収性物品の包装構造であって、請求項５に記載された吸収性物品を、請求項６又は７に記載された包装シートで包装したことを特徴とする。
請求項９の発明は、吸収性物品の下着への取付方法であって、粘着材が施された下着取付面と、該粘着材を覆う剥離シートとを備えた吸収性物品の下着への取付方法であって、前記剥離シートを介して吸収物品を伸長して下着のクロッチ部形状に合わせる工程、クロッチ部形状に合わせた前記吸収物品を前記粘着材で下着のクロッチ部に取付ける工程を備えたことを特徴とする。
【発明の効果】
【００１０】
本発明によれば、吸収性物品の幅をショーツのクロッチ部分の中央の幅に合わせてその形状を調節して取り付けることができるから、装着し易く、前記クロッチ部分との一体感を増し、ズレや剥がれを生じすることがなく下着を汚す等のこともない。
また、吸収性物品を伸長状態でショーツに固定しているから、吸収性物品がたるむことがなく、着用時にごわごわしたりしわになったりすることがなく、ショーツと一体化して良好な着用感が得られる。
【発明を実施するための最良の形態】
【００１１】
本発明に係る吸収性物品の１実施形態として、生理用ナプキンについて添付図面を参照して説明する。
図１は、本発明に係る吸収性物品の１実施形態である生理用ナプキンの未使用時と使用時とを対比して示した平面図である。
本実施形態の生理用ナプキン１０は、透液性のトップシート１０ａと不透液性のバックシート１０ｂと両シート間にシートシールなどにより封止して配置された吸収体とから成っている。生理用ナプキン１０の肌の当接面と反対側の面つまりバックシート側には、着用時にショーツに接合するための粘着材１２が施されている。
【００１２】
この粘着材１２上に接合されている剥離シート１４ａ、１４ｂは、図１Ａに示すように、生理用ナプキン１０の左右半分づつを覆うように前記ナプキン１０の中間で接する（或いは端部が多少重なっていてもよい）２枚のシートから構成されている。この生理用ナプキン１０は伸長可能であり、ショーツに取り付けるに当たり、剥離シート１４ａ、１４ｂを付着したままその両端部近傍１１を掴んで前後（図中では左右）に引っ張ると、前記ナプキン１０が伸びる結果、図１Ｂに示すように、前記ナプキン１０の中央部が細長く引き伸ばされ、かつ剥離シート１４の中央側端部がそれぞれ左右に離れて開き、その隙間から粘着材１２の一部が露出する。なお、露出する中央領域の粘着材は、後述のように連続していてもよいが伸長を容易にするため不連続に施されていることが好ましい。
なお、生理用ナプキン１０は、クロッチ部形状への合わせ易さ或いはや着用時のショーツの変形への合わせ易さから伸縮可能であるものが好ましい。また、剥離シートは、上記のものに限らず１枚の包装シートをミシン目によって容易に切断できるようにしもよく、また、図１Ｃに示すように、２枚の剥離シート１４ａ、１４ｂを中央部で重ね、重ね合わせた中央図示上下端部１４ｃを粘着剤で接合した構造のものであってもよい。
【００１３】
着用者は、このようにして生理用ナプキン１０を自分のショーツ１のクロッチ部１ａの幅に合わせて、その長手方向両端部１１で剥離シート１４ａ、１４ｂを掴んで引き伸ばし、クロッチ部の幅と整理用ナプキン１０の形状が略同一となったときに、図２Ａに示すように、前記露出した粘着材層１２をショーツのクロッチ部１ａに軽く押し当てて接合し、続いて、図２Ｂに示すように、吸収性物品の長手方向両側に貼り付けた剥離シート１４ａ、１４ｂを剥がして粘着材層１２全体をショーツ１に接合する。
【００１４】
図３は、本発明の別の実施形態に係る生理用ナプキンを示し、図３Ａはその平面図、図３Ｂは断面図である。
この実施形態の生理用ナプキンは、図示のように、生理用ナプキン１０の裏面に形成された粘着材１２に対し、例えば中間部が露出するように前後両端１１ａから所定の幅で第１及び第２の剥離シート、即ち前・後剥離シート１４ａ，１４ｂを接合し、かつ露出した中央部には粘着剤を覆う手段である第３の剥離シート（中央剥離シート）１４ｃを接合している。
【００１５】
この中央剥離シート１４ｃは包装シート２０に接合されており、かつ包装シート２０から生理用ナプキン１０を取り出すときに同時に剥がれるように構成されている。なお、中央剥離シート１４ｃを用いる代わりに、包装シート２０自体に剥離処理を施し、包装シート２０を前記粘着材１２に接合しておき、包装シート２０を開き、取り去ると同時に前記ナプキン１０の中央部の粘着材層１２が露出するよう構成してもよい。
【００１６】
図４Ａは、中央剥離シートを外した状態の図３の生理用ナプキン１０の平面図を示す。この状態で前後（図中では左右）に引っ張ると、図４Ｂに示すようにその中央部が細くなるため、ショーツのクロッチ部の幅に合わせた形状に調節でき、その状態でショーツに取り付ける。  
この実施形態の生理用ナプキン１０では、同ナプキン１０の前後に取付けた剥離シート１４ａ，１４ｂ間の中央部の粘着材１２の幅を大きくとることができるため、ズレ止め材として比較的大きな面積の粘着材１２を設けたものにも適用可能である。
【００１７】
図５Ａは、この実施形態の生理用ナプキンの包装構造を展開した斜視図である。
図示のように、この包装構造は、吸収性物品である生理用ナプキン１０とこれを個装する矩形状の包装材である包装シート２０とからなる。
つまり、前記生理用ナプキンの包装構造３０は、図５Ａに示すように、生理用ナプキン１０を包装シート２０と一体に、生理用ナプキン１０の長手方向を図中左方部１６，中央部１７及び右方部１８に３分する２つの折曲線１９において、中央部１７の肌当接面側に折曲して、上記包装材２０の両側縁部２３及び端部２４を止着してシール部を形成している。
【００１８】
生理用ナプキン１０は、肌に接触しない側はその前後端部を残してその全長に亘って粘着材が塗布されて粘着材層１２が形成され、既に述べたように、この粘着材層１２には、第１及び第２の剥離シート１４ａ，１４ｂと第３の即ち中央の剥離シート１４ｃが接合されており、中央の剥離シート１４ｃは包装シート２０に一体に接合されて、包装シート２０から生理用ナプキン１０を取り出す際に、包装シート１０と一緒に前記ナプキン１０から剥がれるようになっている。中央剥離シート１４ｃに代えて、剥離シートを包装シートと完全に一体化する、即ち、包装シート２０に剥離処理を行い、包装シート２０を前記左右剥離シート１４ａ、１４ｂ間に接合するようにしてもよい。
【００１９】
生理用ナプキン１０は、粘着材層１２を表側にして２つの折れ線１９で折り畳まれ、全体を３つ折りした状態で包装シート２０で包み、図５Ｂに示すように、つまみＴで包装シート２０同士を固着する（なお、整理用ナプキンは、３つ折り以外に２つ又は４つ折りなどで適宜折り畳むことができる）。生理用ナプキン１０の使用時には、つまみＴを引き上げ、両側縁２３のシール部（図５Ａ）を剥離させて生理用ナプキン１０を取り出す。
【００２０】
以上の生理用ナプキンにおいて、トップシート１２ａは、例えば、一旦吸収された液の逆戻りを防止するとともに、着用者の動きに対する追従性の高い、例えば、特開２００４−１６６８４９号公報に記載された「吸収物品の表面シート」を用いることができる。
【００２１】
この表面シートは、エンボス加工によって形成された多数の熱融着部を有する不織布からなり、該熱融着部間において該不織布を構成する繊維が、該不織布の厚さ方向に突出して、該不織布の上下面それぞれに多数の隆起部を形成しており、該不織布の下面側に形成されている該隆起部はその基部が、該不織布の平面方向に張り出した形状となっている。
また、この表面シートの下層繊維層は、捲縮が発現した繊度が１〜７ｄｔｅｘ程度で、例えば収縮率の異なる２種類の熱可塑性ポリマー材料を成分とする偏心芯鞘型複合繊維又はサイド・バイ・サイド型複合繊維からなる潜在捲縮性繊維を含んでいる。収縮率の異なる２種類の熱可塑性ポリマー材料の例としては、例えばエチレン−プロピレンランダム共重合体（ＥＰ）とポリプロピレン（ＰＰ）との組み合わせが好適に挙げられる。
【００２２】
バックシート１２ｂの材料としては、ポリエチレンシートやポリエチレンラミネート不織布等が用いられ、望ましくは、不透液性を有し且つ通気性が良いもの、例えばポリエチレンやポリプロピレン等のオレフィン系樹脂に無機充填剤を溶融混練したものを微細な凹凸加工によって伸縮処理した微多孔性シートを用いるか、又はウレタンなどの伸縮性材料でシートを構成することもできる。
【００２３】
吸収体１２ｃは、綿状パルプや合成パルプ等を比較的軽い坪量で積層した積繊パルプ製のもので、全面ほぼ均一な厚さのシート状をなすように形成されている。吸収体１０ｃの平面形状は、バックシート１０ｂより小さくて前後方向に長いほぼ長方形状をなし、吸収体１０ｃの前後両端縁は、バックシート１０ｂの前後両端縁とほぼ相似形の円弧状をなしている。又、表面シート及びバックシートの粘着剤によって積層したパルプが部分的に固定され、伸長時にもパルプの片寄りが防止できる。
なお、積層したパルプ以外にも、凹凸加工された紙や、伸縮性の材料を配合する等、伸長性も向上した吸収材を用いることができる。
【００２４】
上記粘着材層１２は、上記肌に当接しない側の面（バックシート）上に塗布するか、あるいは剥離処理した包装材２０に塗布した後上記バックシート面上１０ｂに転写する等して形成される。この場合、バックシー１０ｂの伸縮を考慮して不連続に塗布する。或いは伸縮性を備えた粘着材を用いることもできる。
上記粘着材層を形成する粘着材としては、例えば、スチレン系ブロックポリマー、粘着付与剤及び軟化剤を主成分とし、スチレン相とゴム相との２相ブロック構造を保持しているものが用いられる。
【００２５】
上記剥離処理剤としては、シリコーン樹脂系、フッソ樹脂系、又はオクタデシルイソシアネート系等の剥離剤成分を主成分とするものを好ましく用いることができる。
【００２６】
上記包装材２０の形成材料としては、例えば、厚さ５〜５０μｍのポリプロピレン、ポリエステル、ポリエチレン、ポリビニルアルコール、あるいは不織布や紙、及びこれらの複合材料等が好ましく挙げられる。本発明において、上記剥離層を形成する方法としては、上記包装材の内面全面に、上記剥離処理剤を塗布して加熱乾燥するか、スプレーで吹きつけ薄い被膜を形成させ紫外線等により重合硬化させる等するのが好ましい。
【００２７】
本実施形態に係る吸収性物品は、その長手方向両端を引っ張ることでその中央部が窪むため、ショーツの同様に窪んだ平面形状を備えたクロッチ部分の形状に容易に一致させることができる。また、その状態では前記粘着材層の中央部が露出するから、その露出部を前記クロッチ部分に接合させることで、吸収性物品をショーツに伸長させた状態で取り付けることができ、かつ着用者の動きによりショーツが変形しても、その形状変形に容易に追従できる。更に、この吸収性物品はショーツのクロッチ部分に合わせて引き伸ばして接合するものであるため、伸長前はサイズを小型化でき、携帯や収納時に便利である。
【図面の簡単な説明】
【００２８】
【図１】生理用ナプキンの平面図であり、図１Ａは未使用時、図１Ｂは使用時とを示し、図１Ｃは他の生理用ナプキンの平面図である。
【図２】生理用ナプキンをショーツのクロッチ部への取付を説明する平面図であり、図２Ａは取付過程を、また図２Ｂは取付後を示す。
【図３】図１と別の実施形態に係る生理用ナプキンであって、図３Ａはその平面図、図３Ｂは断面図である。
【図４】図４Ａは、図３に示す整理用ナプキンの中央剥離シートを外した状態を示し、図４Ｂは左右に延伸した状態を示す平面図である。
【図５】図５Ａは生理用ナプキンの包装構造の展開斜視図であり、図５Ｂは同包装構造の斜視図である。。
【符号の説明】
【００２９】
１０・・・生理用ナプキン、１２・・・粘着材層、１４ａ、１４ｂ・・・左右剥離シート、１４ｃ・・・中央剥離シート、２０・・・包装シート、
３０・・・生理用ナプキンの包装構造。
【図１】
2006230619.tif 000003
【図２】
2006230619.tif 000004
【図３】
2006230619.tif 000005
【図４】
2006230619.tif 000006
【図５】
2006230619.tif 000007